(57)【要約】【課題】既知の図形パターンを有する複数のページの間の当該図形パターンの色ずれを低減する。【解決手段】画像処理装置は、複数ページの入力画像内に予め登録されまたは予め定められた配置条件を満たす図形パターンが有るか否かをページごとに判定する図形判定部と、図形パターンが有った場合に、当該図形パターンの色を測定する色測定部と、測定された図形パターンの色と予め記憶されている指定色との差異の大小を判定する色差判定部と、図形パターンの色と指定色との差異が小さいと判定された場合に、図形パターンの色を指定色に補正する色補正部と、を備える。【選択図】図３
2011254325.tif 000002
【特許請求の範囲】
【請求項１】
入力された画像の色補正をする画像処理装置であって、
複数ページの入力画像内に予め登録されまたは予め定められた配置条件を満たす図形パターンが有るか否かをページごとに判定する図形判定部と、
前記図形パターンが有った場合に、当該図形パターンの色を測定する色測定部と、
測定された前記図形パターンの色と予め記憶されている指定色との差異の大小を判定する色差判定部と、
前記図形パターンの色と指定色との差異が小さいと判定された場合に、前記図形パターンの色を前記指定色に補正する色補正部と、を備える
ことを特徴とする画像処理装置。
【請求項２】
前記図形判定部は、２以上のページに互いに同じ形状の図形パターンが有った場合に、前記配置条件を満たす図形パターンが有ると判定する
請求項１記載の画像処理装置。
【請求項３】
予め登録された図形パターンが有ると判定され、かつ当該図形パターンの色と指定色との差異が小さいと判定された場合に、当該図形パターンの近傍に当該図形パターンの色と同じ色で予め定められた数以上の画素を含む領域が有るか否かをページごとに判定する領域判定部をさらに備え、
色補正部は、前記図形判定部によって有ると判定された前記図形パターンの色とともに、前記領域判定部によって有ると判定された領域の色を前記指定色に補正する
請求項１または２記載の画像処理装置。
【請求項４】
入力された画像の色補正をする画像処理装置が有するコンピュータによって実行されるコンピュータプログラムであって、
前記コンピュータによって実行されたときに、
複数ページの入力画像内に予め登録されまたは予め定められた配置条件を満たす図形パターンが有るか否かをページごとに判定する図形判定部と、
前記図形パターンがあった場合に、当該図形パターンの色を測定する色測定部と、
測定された前記図形パターンの色と予め記憶されている指定色との差異の大小を判定する色差判定部と、
前記図形パターンの色と指定色との差異が小さいと判定された場合に、前記図形パターンの色を前記指定色に補正する色補正部と、を実現させる
ことを特徴とするコンピュータプログラム。
【請求項５】
画像を用紙に印刷する画像形成装置であって、
複数ページの入力画像内に予め登録されまたは予め定められた配置条件を満たす図形パターンが有るか否かをページごとに判定する図形判定部と、
前記図形パターンが有った場合に、当該図形パターンの色を測定する色測定部と、
測定された前記図形パターンの色と予め記憶されている指定色との差異の大小を判定する色差判定部と、
前記図形パターンの色と指定色との差異が小さいと判定された場合に、前記図形パターンの色を前記指定色に補正する色補正部と、
前記図形パターンの色が補正された画像を印刷する印刷機構と、を備える
ことを特徴とする画像形成装置。
【請求項６】
予め定められた配置条件を満たす図形パターンが有ると判定された場合に、当該図形パターンとそれを印刷したときの色とを示す履歴データを記録するデータ管理部と、
前記履歴データが記録された後に入力された画像内に、予め定められた配置条件を満たす図形パターンが有ると判定された場合に、当該図形パターンが履歴データに有るか否かを判定する履歴判定部と、をさらに備え、
前記色補正部は、前記履歴データに有ると判定された図形パターンの色を当該履歴データが示す過去に印刷したときの色に補正する
請求項５記載の画像形成装置。
【発明の詳細な説明】
【技術分野】
【０００１】
本発明は、色補正をする画像処理装置および画像処理装置を備えた画像形成装置に関する。
【背景技術】
【０００２】
近年、一般のオフィスにおいて、複合機やプリンタを用いたカラー印刷が日常的に行われるようになった。カラー印刷が手軽になったことから、プレゼンテーションの配布物や会議資料といった各種ドキュメントのカラー化が盛んである。カラードキュメントには、カラー写真のようなフルカラー画像を有するもの、色分けグラフのような多数の色が混在するもの、および文字の標準色（通常は黒）と他の一色（例えば、赤または青）とが混在するものが含まれる。
【０００３】
一方、用紙に印刷されたりディスプレイに表示されたりするカラー画像の色補正に関して、次の先行技術がある。特許文献１には、３原色の顔画像から唇領域を抽出し、抽出された唇領域の代表的な色の画素の色相、彩度、明度の平均値を算出し、塗り替えようとする目標口紅色との差分を考慮した色補正を行う口紅色変換システムが記載されている。
【先行技術文献】
【特許文献】
【０００４】
【特許文献１】特許第３７２３３４９号公報
【発明の概要】
【発明が解決しようとする課題】
【０００５】
複数ページのドキュメントを印刷したとき、ページ間で微妙な色ずれの生じる場合がある。例えば、どのページにも有彩色の同じロゴマークが有るドキュメントを印刷したときに、本来は同じ色で印刷されるべきロゴマークが若干ながら異なった色で印刷されることが起こり得る。ページ数が多いほど、色ずれが生じ易い。色ずれの原因としては画像形成装置の出力特性の変化が挙げられる。また、このような色ずれのある印刷物をコピーする場合、子コピー、孫コピーとジェネレーションが進むにつれて色ずれがより顕著になることが多い。
【０００６】
特に、ロゴマークの色が企業や団体のシンボル色である場合、ロゴマークの色が正しく色再現されるのが望ましく、少なくとも一つのドキュメントにおいて一律に色再現されるのが望ましい。ロゴマークにそれと同じシンボル色の文字列、線、模様などの画像要素が付随する場合には、この画像要素もページ間で一律に色再現されるのが望ましい。
【０００７】
本発明は、このような事情に鑑み、既知の図形パターンを有する複数のページの間の当該図形パターンの色ずれを低減する画像処理機能の実現を目的としている。
【課題を解決するための手段】
【０００８】
上記目的を達成する装置は、入力された画像の色補正をする画像処理装置であって、複数ページの入力画像内に予め登録されまたは予め定められた配置条件を満たす図形パターンが有るか否かをページごとに判定する図形判定部と、前記図形パターンが有った場合に、当該図形パターンの色を測定する色測定部と、測定された前記図形パターンの色と予め記憶されている指定色との差異の大小を判定する色差判定部と、前記図形パターンの色と指定色との差異が小さいと判定された場合に、前記図形パターンの色を前記指定色に補正する色補正部と、を備える。
【発明の効果】
【０００９】
本発明によれば、既知の図形パターンを有する複数のページの間の当該図形パターンの色ずれを低減することができる。
【図面の簡単な説明】
【００１０】
【図１】画像処理装置を含む複合機の外観を示す図である。
【図２】複合機のハードウェア構成を示す図である。
【図３】画像処理装置の機能構成を示す図である。
【図４】補正対象とする図形パターンの指定のための操作画面の一例を示す図である。
【図５】補正範囲の指定のための操作画面の一例を示す図である。
【図６】色差の判定に係わる色範囲を示す図である。
【図７】画像処理装置の動作を示すフローチャートである。
【図８】色差算出サブルーチンのフローチャートである。
【図９】領域判定サブルーチンのフローチャートである。
【図１０】色補正サブルーチンのフローチャートである。
【図１１】色補正登録処理のフローチャートである。
【図１２】画像処理装置の機能構成の他の例を示す図である。
【図１３】画像処理装置の動作の他の例を示すフローチャートである。
【発明を実施するための形態】
【００１１】
図１に例示される複合機１は原稿Ｄから読み取った画像や外部機器から入力された画像の色を補正する画像処理装置としての機能を有する。多機能機器（MFP: Multifunction Peripherals）である複合機１は、コピー、イメージ入力、ネットワークプリンティング、ファクシミリ通信、メール送受信およびドキュメントの保存などの種々の用途をもつ。これら用途のうち、コピー、イメージ入力、ネットワークプリンティングおよびファクシミリ通信に画像処理装置が関与する。
【００１２】
複合機１では、電子写真式のプリンタ２３の上方に、ＡＤＦ(Auto Document Feeder)２１およびイメージスキャナ２２が配置されている。ＡＤＦ２１は原稿台２１１および回収台２１２を有し、原稿台２１１から回収台２１２へ原稿Ｄを搬送する。原稿Ｄは読み取るべき情報が記録されたシート状記録媒体（用紙）である。原稿台２１１に複数の原稿Ｄが載置（セッティング）されたとき、ＡＤＦ２１は１枚ずつ順々に原稿Ｄを搬送する。ＡＤＦ２１による搬送の途中で、原稿Ｄは読取り位置を通過する。イメージスキャナ２２は、読取り位置を通過する原稿Ｄに記録されている画像情報を光学的に読み取る。この読取りの形式は、光学系に対して原稿Ｄを移動させるシートスルー形式である。
【００１３】
イメージスキャナ２２の前側に操作パネル２５が配置されている。操作パネル２５は、種々の操作画面を表示するタッチパネル部２５Ａとテンキーを含む種々の固定キーが配置されたキーパネル部２５Ｂとを有する。複合機１のユーザーは、操作パネル２５を用いる直接の操作、またはネットワーク４を介して接続された外部装置（例えば、パーソナルコンピュータ）からのアクセスによって所望の動作を複合機１に実行させることができる。
【００１４】
このような複合機１が画像形成装置として機能する動作の代表例はコピー動作である。ＡＤＦ２１とイメージスキャナ２２との連携による読取りの終了後または読取り途中の時点で、多段式の用紙ストッカ２４から操作入力で指定されたサイズの用紙がプリンタ２３に給紙される。プリンタ２３において、原稿Ｄから読み取られた画像が用紙にカラー指定に応じた色で印刷される。画像が印刷された用紙は排紙トレイ２３２に排出される。
【００１５】
図２のように、複合機１は、上述の要素に加えて、制御回路２６、画像処理回路２７、ストレージ２８、および外部接続インタフェース２９を有する。制御回路２６は、制御プログラムを記憶するＲＯＭ２６１、制御プログラムを実行するＣＰＵ(central processing unit)２６２、およびプログラム実行のワークエリアとして用いられるＲＡＭ２６３を有する。画像処理回路２７はイメージスキャナ２２の出力データの補正や印刷時のビットマップ展開を含む種々の画像処理を担う。ストレージ２８はハードディスクドライブのような大容量記憶デバイスである。ストレージ２８には、複合機１の制御に係わるデータを記憶するメモリ領域とともに、各種ドキュメントのファイルを保存するメモリ領域（いわゆるボックス）が設けられる。外部接続インタフェース２９は、複合機１とネットワーク４とを接続し、ＬＡＮ通信およびファクシミリ通信を可能にする。図２に示された複合機１のハードウェア要素のうち、操作パネル２５、制御回路２６、画像処理回路２７およびストレージ２８が、画像処理装置２の構成に直接に関わる。
【００１６】
画像処理装置２は、画像を印刷するときに、予め登録された図形パターンの色を必要に応じて補正する。この色補正機能は、例えば各ページにロゴマークを有した複数ページのペーパードキュメントをコピーする場合に、複製されるドキュメントの全ページのロゴマークの色を揃え、印刷物（複製）の見栄えを良くするのに貢献する。
【００１７】
図３は画像処理装置２の機能構成を示す。画像処理装置２は、上述の色補正に係わる機能要素として、入力処理部２０１、図形判定部２１１、色測定部２１２、色差判定部２１３、領域判定部２１４、および色補正部２１５を備える。これら機能要素は、例えば制御回路２６のＣＰＵ２６２が画像処理制御プログラムを実行することによって実現される。各機能要素をソフトウェアと画像処理回路２７のハードウェアとを組み合わせて実現することもできる。
【００１８】
入力処理部２０１は、ユーザーが所望の一つまたは複数の図形パターンを登録する操作入力および印刷ジョブの実行に際して補正の対象とする図形パターンを指定する操作入力を受け付ける。入力処理部２０１は、操作パネル２５を用いてユーザーが登録を指示した図形パターンの形状および色を登録データＤ１０として不揮発性のメモリ２８１に記録する。メモリ２８１はストレージ２８のメモリ領域の一部である。
【００１９】
図形判定部２１１は、複数ページの入力画像内に登録データＤ１０によって示される予め登録された図形パターンが有るか否かをページごとに判定する。入力画像としては、イメージスキャナ２２で読み取った原稿Ｄの画像、ネットワーク４を介して印刷対象として外部機器から入力されたドキュメントの画像、および予めストレージ２７に蓄積されておりかつ操作パネル２５または外部機器からのアクセスによって印刷対象に指定されたドキュメントの画像がある。
【００２０】
色測定部２１２は、図形パターンが有ると判定された場合に、当該図形パターンの色を測定する。
【００２１】
色差判定部２１３は、色測定部２１２によって測定された図形パターンの色と登録データＤ１０が示す色である予め記憶されている指定色との差異の大小を判定する。例えば、ロゴマークを有するドキュメントを想定すると、ドキュメントの作成に際してロゴマークの色が意図的に指定色と異なる色とされることがあり得る。例えば、通常は青であってその青が指定色であるが、販促期間中の配布資料では赤としたり、青のロゴマークと他の色のロゴマークとを並べて配置したりするといったデザイン上の色変更が考えられる。このように意図的に指定色以外の色とされたロゴマークを指定色に補正して印刷すると、ユーザーが困惑してしまうと予想される。色差判定部２１３による判定は、印刷対象画像内の図形パターンの色と指定色との差異が意図的な色変更によるかそうではないかを推定する判定である。
【００２２】
領域判定部２１４は、予め登録された図形パターンが有ると判定され、かつ当該図形パターンの色と指定色との差異が小さいと判定された場合に、当該図形パターンの近傍に当該図形パターンの色と同じ色で予め定められた数以上の画素を含む領域が有るか否かをページごとに判定する。ロゴマークの近傍に企業名や企業理念といった情報を付随的に記載されることがある。このような情報とロゴマークとが同じ色である場合、両者の色をロゴマークの指定色で印刷するのが望ましい。領域判定部２１４は、図形パターンに付随するとみなす領域の有無を判定する。
【００２３】
色補正部２１５は、図形パターンの色と指定色との差異が小さいと判定された場合に、当該図形パターンの色を指定色に補正する。また、色補正部２１５は、図形判定部２１１によって有ると判定された図形パターンの色とともに、領域判定部２１４によって有ると判定された領域の色を指定色に補正する。
【００２４】
図４に示される操作画面Ｑ１は、補正の対象とする図形パターンの指定に用いられる。画像処理装置２では、ユーザーは予め複数の図形パターンを登録しておくことができ、さらに印刷ジョブごとに登録されている図形パターンの一つまたは複数を色補正の対象として選択することができる。図示の例では、三つの図形パターンに対応する選択キー１１１，１１２，１１３が表示され、これらのキーのうちの押下された一つの選択キー１１１が強調表示されている。この状態でユーザーがＯＫキー１１０を押下すると、選択キー１１１に対応する図形パターンが色補正の対象になる。他の二つの選択キー１１２，１１３に対応する図形パターンが色補正の対象外となる。色補正の対象を限定することにより、登録されている複数の図形パターンのすべてについて画像内の有無を調べる必要がなくなり、処理の負担が軽減される。
【００２５】
図５に示される操作画面Ｑ２は、色補正をするページ範囲の指定に用いられる。本例では、選択肢として、「頁内」、「ジョブ内」および「関連ジョブ内」がある。「頁内」は、１ページ内の図形パターンの色を指定色に補正するモードである。「ジョブ内」は一つの印刷ジョブに係るドキュメントに含まれる図形パターンの色を指定色に補正するモードである。「関連ジョブ内」は、ログインＩＤで特定されるユーザーが投入した未実行の印刷ジョブに係るすべてのドキュメントに含まれる図形パターンの色を指定色に補正するモードである。操作画面Ｑ２では、これら選択肢に対応する選択キー１２１，１２２，１２３が表示される。
【００２６】
図６は、図形パターンの色と指定色との差異の判定に係わる色範囲を示す。色補正の対象となる図形パターンの色範囲は、明度、彩度および色相により設定される。設定は、登録される図形パターンについて個別に行うことができる。本例では、Ｌ＊ａ＊ｂ＊表色系の色空間での範囲設定を示しているが、ｓＲＧＢ空間や他の色空間で範囲を設定してもよい。
【００２７】
図７は画像処理装置２の動作を示すフローチャートである。画像処理装置２は、例えばイメージスキャナ２２から画像をページ単位で取り込み（＃１１）、二値化、ノイズ成分除去および不連続線の補間といった前処理を行い（＃１２）、対象に指定されている図形パターン（以下、特定図形パターンという）とページの画像とのパターンマッチングを行う（＃１３）。図形判定部２１１が注目ページにおける特定図形パターンの有無を判定し（＃１４）、特定図形パターンが有った場合は、そのパターンの色を色測定部２１２が測定する（＃１５）。測定された色が設定されている色範囲内であれば、色差判定部２１３は特定図形パターンの色と指定色との差異が小さいと判定し（＃１６）、色補正部２１５が補正量となる色差を算出する（＃１６）。続いて領域判定部２１４が特定図形パターンとの距離が所定以下であって特定図形パターンを同じ色の領域を抽出する（＃１８、＃１９）。そして、色補正部２１５が特定図形パターンおよび領域判定部２１４によって抽出された領域の色を指定色に補正する（＃２０）。色補正の範囲設定に従い、単一ページ内、単一ジョブ内、または複数ジョブ内について色補正を実施する（＃２１、＃２２）。
【００２８】
図８は色差算出サブルーチンのフローチャートである。色補正の範囲設定に応じて、色差の算出のモードが切り替わる。設定が「頁内」であれば、１ページ内の特定図形パターンのみから指定色との色差が算出される（＃１７１、＃１７２）。ただし、１ページ内に複数の特定図形パターンがあれば、各特定図形パターンと指定色との差異の平均値が色差とされる。設定が「ジョブ内」であれば、１ジョブ内の各特定図形パターンと指定色との差異の平均値が色差とされる（＃１７３、＃１７４）。設定が「関連ジョブ内」であれば、複数のジョブ内の各特定図形パターンと指定色との差異の平均値が色差とされる（＃１７５、＃１７６）。
【００２９】
図９は領域判定サブルーチンのフローチャートである。領域判定部２１４は、特定図形パターンの色（Ｃ１）を色測定部２１２から取得し（＃１９１）、入力画像における特定図形パターンの色（Ｃ１）と同じ色の画素を探索する（＃１９２）。領域判定部２１４は、入力画像が特定色域に限定されるモノカラー原稿か否かをチェックし（＃１９３）、モノカラー原稿であれば、画素が補正の対象となる領域に該当するか否かを調べる処理を実施しない。入力画像がモノカラー原稿ではない場合には、領域判定部２１４は、特定図形パターンの色（Ｃ１）と同じ色の画素の連結数を求め（＃１９４）、所定の閾値Ｔｈ０よりも大きい場合に（＃１９５でＹＥＳ）、さらにその連結画素が入力画像の端部または中央部に位置するか否かをチェックする（＃１９６）。このチェックでＹＥＳであれば、連結画素は色補正すべき領域とされる（＃１９７）。また、連結数が閾値Ｔｈ０に満たない場合であっても、他のページの同じ位置に同じ色画素があり、その位置が画像の端部または中央部であれば（＃１９８でＹＥＳ）、連結画素は色補正すべき領域とされる。本例では端部および中央部の大きさが固定値であるが、ユーザーが範囲を設定できるようにしてもよい。連結数の上限を設けて、１ページの画像全面を色補正の対象としないようにしてもよい。さらに、モノカラー原稿かの判断を上位で実施しているが、最終段で判断をして色領域判断結果を無効にする動作の流れを採用してもよい。
【００３０】
図１０は色補正サブルーチンのフローチャートである。色補正２１５は、画像を読込み（＃２０１）、特定図形パターンの色をＲＧＢ空間の色からＬ＊ａ＊ｂ＊色空間の色に変換し、指定色と比較する。比較することで差分を求め、その差分量を画像データに加算し、その結果を出力色空間であるＣＭＹＫ色空間の色に変換する（＃２０３、＃２０４、＃２０５）。ここではＲＧＢ、Ｌａｂ、ＣＭＹＫの各空間を例示したが、他の色空間に変換して色補正を実施してもよい。
【００３１】
図１１は色補正登録処理のフローチャートである。入力処理部２０１は、指定色の操作入力を受けるために、所定の図形パターンを有する画像を所定のメモリから読み込んで操作パネル２５のディスプレイに表示させる（＃３０１、＃３０２）。そして、入力処理部２０１は、ユーザーによる図形パターンの位置入力を受け付ける（＃３０３）。表示および指示操作には公知の技術が適用される。例えば、ポインタデバイスがタッチパネルであれば、領域を囲む閉ループを描くか多角形の頂点を指し示すことで位置範囲が特定される。登録したい図形パターンがグラデーションパターンである場合は（＃３０４でＹＥＳ）、図形パターン内の濃度のＭａｘｔ値、Ｍｉｎ値、登録するポイント数の入力を受ける（＃３０５）。グラデーションパターンであない場合は、登録するポイントの指示を受ける（＃３０７）。そして、入力処理部２０１は、色補正の色範囲を決める明度、彩度、色相の指定を受ける（＃３０６）。
【００３２】
図１２は画像処理装置の機能構成の他の例を示す。本例は、ユーザーが登録した図形パターンだけでなく、「社外秘」や「ＦＡＸ済み」といったスタンプ像に代表される配置位置がある程度限定される図形に対しても色補正をすることを意図した構成例である。本例によれば、各種ドキュメントの作成に多数のスタンプが使用される環境において、ユーザーが各スタンプ像を図形パターンとして登録する手間を省くことができる。
【００３３】
図１２において、画像処理装置２ｂは、色補正に係わる機能要素として、入力処理部２０１、図形判定部２１１ｂ、色測定部２１２、色差判定部２１３、履歴判定部２１６、色補正部２１５およびデータ管理部２２１を備える。これら機能要素は、例えば制御回路２６のＣＰＵ２６２が画像処理制御プログラムを実行することによって実現される。各機能要素をソフトウェアと画像処理回路２７のハードウェアとを組み合わせて実現することもできる。図形判定部２１１ｂ、履歴判定部２１６およびデータ管理部２２１を除く、残りの構成要素の機能は上述の画像処理装置２と同様である。
【００３４】
図形判定部２１１ｂは、複数ページの入力画像内に予め登録されまたは予め定められた配置条件を満たす図形パターンが有るか否かをページごとに判定する。本例の配置条件は、「ページの端部または中央に位置するか、複数のページの互いに同じ領域に位置すること」である。
【００３５】
データ管理部２２１は、予め定められた配置条件を満たす図形パターンが有ると判定された場合に、当該図形パターンとそれを印刷したときの色とを示す履歴データＤ２０をメモリ２８１によって記録する。
【００３６】
履歴判定部２１６は、履歴データＤ２０が記録された後に入力された画像内に、予め定められた配置条件を満たす図形パターンが有ると判定された場合に、当該図形パターンが履歴データＤ２０に有るか否かを判定する。
【００３７】
図１３は画像処理装置２ｂの動作を示すフローチャートである。画像処理装置２ｂは、画像を取り込み（＃１０１）、上記配置条件に該当する図形を抽出する（＃１０２）。抽出した図形が複数のページに有り（＃１０３でＹＥＳ）、かつ補正対象として指定された特定図形パターンであれば（＃１０４でＹＥＳ）、当該図形の色および指定色との差異を求める（＃１０５、＃１０６）。そして、指定色との差異が所定範囲内であれば、当該図形の色を指定色に補正する（＃１０７、＃１０８）。
【００３８】
一方、注目ページから抽出した図形が単一のページにのみ有るか、複数のページに有っても登録された図形パターンではない場合（＃１０３でＮＯ、または＃１０４でＮＯ）、履歴判定部２１６が履歴データＤ２０に当該図形が有るか否かをチェックする（＃１０９）。当該図形が履歴データＤ２０に有れば（＃１０９でＹＥＳ）、色補正部２１５は当該図形の色を履歴データＤ２０によって指定される過去の印刷時の色に補正する（＃１１０）。
【００３９】
以上の実施形態では、画像を印刷するときに色補正をする動作を例示したが、ファクシミリ送信に際してもイメージスキャナ２２で読み取ったり外部機器から入力されたりした送信対象の画像に含まれる特定の図形パターンに対して色補正を行うようにしてもよい。
【符号の説明】
【００４０】
１    複合機（画像形成装置）
２，２ｂ    画像処理装置
２１１    図形判定部
２１２    色測定部
２１３    色差判定部
２１５    色補正部
２１４    領域判定部
２１６    履歴判定部
２３    プリンタ（印刷機構）
２２１    データ管理部
Ｄ２０    履歴データ
【図１】
2011254325.tif 000003
【図２】
2011254325.tif 000004
【図３】
2011254325.tif 000005
【図４】
2011254325.tif 000006
【図５】
2011254325.tif 000007
【図６】
2011254325.tif 000008
【図７】
2011254325.tif 000009
【図８】
2011254325.tif 000010
【図９】
2011254325.tif 000011
【図１０】
2011254325.tif 000012
【図１１】
2011254325.tif 000013
【図１２】
2011254325.tif 000014
【図１３】
2011254325.tif 000015